(57)【要約】【課題】電気機器収納用箱の保護板の開口部に取り付けられるブラインド部材について、取り付けが容易であって、脱落しにくいものにすること。また、保護板の開口部が長くなることによって、より発生しやすくなる保護板のたわみを抑制すること。【解決手段】取付時に電気機器収納用箱の保護板の開口部の前面側を覆うことができるブラインド部２と、取付時に保護板の後面側に位置することになり、ブラインド部との間に保護板を挟み込むことになる固定部５と、を備えたブラインド部材１であって、ブラインド部と固定部の一方を保護板に対して当接させたまま他方を保護板に沿って移動させることが可能な状態となるように、ブラインド部と固定部が連結部８１で連結される構成とする。【選択図】図５
2020198663.tif 000002
【特許請求の範囲】
【請求項１】
取付時に電気機器収納用箱の保護板の開口部の前面側を覆うことができるブラインド部と、取付時に保護板の後面側に位置することになり、ブラインド部との間に保護板を挟み込むことになる固定部と、を備えたブラインド部材であって、
ブラインド部と固定部の一方を保護板に対して当接させたまま他方を保護板に沿って移動させることが可能な状態となるように、ブラインド部と固定部が連結部で連結されることを特徴とするブラインド部材。
【請求項２】
ブラインド部に、ブラインド部と固定部を連結する連結部をスライド移動可能とする長孔を備えた請求項１に記載のブラインド部材。
【請求項３】
ブラインド部は、後面側に突出する凸部を備え、固定部に、凸部を挿入可能な孔部を備えた請求項１又は２に記載のブラインド部材。
【請求項４】
ブラインド部に、固定部がブラインド部の後面側に移動することを抑制する規制部と、固定が下方に移動することを抑制する下移動抑制部を備えた請求項１乃至３の何れかに記載のブラインド部材。
【発明の詳細な説明】
【技術分野】
【０００１】
本発明は、ブラインド部材に関するものである。
【背景技術】
【０００２】
分電盤や配電盤などの電気機器収納用箱には、ブレーカ等の増設に備えて予備スペースを設けておくことがある。このような場合、電気機器収納用箱の内部に取り付けられた保護板には、予備スペースに対応する位置に開口部が設けられる。この開口部がそのまま残されているのでは、危険であるうえに美観上も好ましくない。そこで従来、特許文献１に記載されているようなブラインド部材をはめ込んで開口部を封鎖している。
【先行技術文献】
【特許文献】
【０００３】
【特許文献１】特開２０００−２５３５１６号公報
【０００４】
ところで、従来のブラインド部材は、保護板の開口部にはめ込む構造である。このため、保護板を開閉することなどに起因する保護板のたわみによって、ブラインド部材が脱落してしまう虞があった。
【発明の概要】
【発明が解決しようとする課題】
【０００５】
本件の発明者は、この点について鋭意検討することにより、解決を試みた。本発明が解決しようとする課題は、電気機器収納用箱の保護板の開口部に取り付けられるブラインド部材について、取り付けが容易であって、脱落しにくいものにすることである。また、保護板の開口部が長くなることによって、より発生しやすくなる保護板のたわみを抑制することを目的とする。
【課題を解決するための手段】
【０００６】
上記課題を解決するため、取付時に電気機器収納用箱の保護板の開口部の前面側を覆うことができるブラインド部と、取付時に保護板の後面側に位置することになり、ブラインド部との間に保護板を挟み込むことになる固定部と、を備えたブラインド部材であって、ブラインド部と固定部の一方を保護板に対して当接させたまま他方を保護板に沿って移動させることが可能な状態となるように、ブラインド部と固定部が連結部で連結されることを特徴とするブラインド部材とする。
【０００７】
また、ブラインド部に、ブラインド部と固定部を連結する連結部をスライド移動可能とする長孔を備えた構成とすることが好ましい。
【０００８】
また、ブラインド部は、後面側に突出する凸部を備え、固定部に、凸部を挿入可能な孔部を備えた構成とすることが好ましい。
【０００９】
また、ブラインド部に、固定部がブラインド部の後面側に移動することを抑制する規制部と、固定が下方に移動することを抑制する下移動抑制部を備えた構成とすることが好ましい。
【発明の効果】
【００１０】
本発明では、電気機器収納用箱の保護板の開口部に取り付けられるブラインド部材について、取り付けが容易であって、脱落しにくいものにすることが可能となる。
【図面の簡単な説明】
【００１１】
【図１】ブラインド部材を電気機器収納用箱の保護板に取り付けた状態の例を示す斜視図である。
【図２】ブラインド部材を保護板に取り付けた状態を示す斜視図である。
【図３】ブラインド部材を保護板に取り付けた状態の部分拡大図である。ただし、保護板の前面側から見ている。
【図４】ブラインド部材を保護板に取り付けた状態の部分拡大図である。ただし、保護板の後面側から見ている。
【図５】ブラインド部材の分解斜視図である。
【図６】ブラインド部材の斜視図である。ただし、前面側から見ている。
【図７】ブラインド部材の斜視図である。ただし、後面側から見ている。
【図８】ブラインド部材の側面図である。ただし、ブラインド部と固定部が密着した状態である。
【図９】ブラインド部材の側面図である。ただし、ブラインド部と固定部の間に隙間が生じた状態である。
【図１０】ブラインド部材を保護板に取り付ける前の状態を示す断面図である。
【図１１】ブラインド部材の一端側を保護板に引っ掛けた状態を示す断面図である。
【図１２】ブラインド部材を保護板の開口部に嵌め込んだ状態を示す断面図である。
【図１３】図１２に示した状態から固定部をスライド移動させた状態を示す断面図である。
【図１４】図１３に示す状態から固定部をブラインド部側に移動させ、固定部とブラインド部の両端で保護板を挟み込んだ状態を示す断面図である。
【図１５】図６に示すブラインド部材とは異なるブラインド部材の斜視図である。ただし、前面側から見ている。
【図１６】図１５に示すブラインド部材を後面側から見た斜視図である。
【図１７】図１５に示すブラインド部材の固定部をブラインド部材の一端側に寄せた状態を示す断面図である。
【図１８】図１７に示した状態から固定部を長手方向にスライド移動させた状態を示す断面図である。
【図１９】図１８に示す状態から固定部をブラインド部側に移動させた状態を示す断面図である。
【図２０】図６及び図１５に示すブラインド部材とは異なるブラインド部材の斜視図である。ただし、前面側から見ている。
【図２１】図２０に示すブラインド部材を後面側から見た斜視図である。
【図２２】図２０に示すブラインド部材の分解斜視図である。
【図２３】図２０に示すブラインド部材の側面図である。ただし、拡張部が突出部よりも内方に位置している状態を示している。
【図２４】図２０に示すブラインド部材の側面図である。ただし、拡張部が突出部よりも外方に位置している状態を示している。
【図２５】図２３に示す状態のブラインド部材の断面図である。
【図２６】図２４に示す状態のブラインド部材の断面図である。
【発明を実施するための形態】
【００１２】
以下に発明を実施するための形態を示す。図１乃至図４に示されていることから理解されるように、本実施形態のブラインド部材１は、取付時に電気機器収納用箱９の保護板９３の開口部９４の前面側を覆うことができるブラインド部２と、取付時に保護板９３の後面側に位置することになり、ブラインド部２との間に保護板９３を挟み込むことになる固定部５と、を備えている。また、ブラインド部２と固定部５の一方を保護板９３に対して当接させたまま他方を保護板９３に沿って移動させることが可能な状態となるように、ブラインド部２と固定部５が連結部８１で連結される。このため、取り付けが容易であって、脱落しにくいものにすることが可能となる。
【００１３】
なお、図１乃至図４に示されている例では、ブラインド部材１は、ブラインド部２に、ブラインド部２と固定部５を連結する連結部８１をスライド移動可能とする長孔２１を備えている。連結部８１をスライド移動させることで固定部５を移動させれば、固定部５の両端とブラインド部２の両端の間に保護板９３が位置する状態とすることが可能となるため、取り付けが容易であって、脱落しにくいものにすることが可能となる。
【００１４】
ここで、ブラインド部材１が取り付けられる電気機器収納用箱９について説明する。分電盤や配電盤などの電気機器収納用箱９は、筐体９１に回路遮断器や計測機器などの電気機器が収納される。また、電気機器の端子部などの導電部分を覆うように、保護板９３が設置される。この場合、電気機器のハンドルやスイッチ、表示部などを露出するために、保護板９３には開口部９４が設けられる。なお、保護板９３をさらに覆う扉９２を備えるものもあれば、そのような扉９２を備えない電気機器収納用箱９もある。
【００１５】
実施形態の電気機器収納用箱９には、将来的に回路数を増加させることを想定し、電気機器を収納する予備スペースが確保されており、保護板９３には予備スペースに設置される予定の機器のための開口部９４も形成されている。
【００１６】
図５に示すことから理解されるように、本実施形態のブラインド部材１は、取付時に電気機器収納用箱９の保護板９３の開口部９４の前面側を覆うことができるブラインド部２と、取付時に保護板９３の後面側に位置することになり、ブラインド部２との間に保護板９３を挟み込むことになる固定部５と、を備えているが、このブラインド部２と固定部５は、連結部８１となる複数のネジで連結される。実施形態では、このネジを締めることでブラインド部２と固定部５の間隔を狭くすることができ、ネジを緩めることで、ブラインド部２と固定部５の間隔を広げることができる。
【００１７】
ネジが挿通されるブラインド部２の孔は、左右方向に長い楕円形状の長孔２１である。長孔２１に連結部８１となるネジを挿通する構成としているため、連結部８１を長孔２１の長手方向に移動させれば、連結部８１にあわせて固定部５を移動させることが可能となる。このため、ブラインド部２と固定部５の一方が保護板９３に対して移動することを抑制させながら、他方を保護板９３に沿って移動させることが可能となる。なお、図６に示すことから理解されるように、実施形態のブラインド部材１は、略直方体状のブラインド部２を備えているが、このブラインド部２の長手方向の長さは、ブラインド部材１が取り付けられる保護板９３の開口部９４の短手方向の幅よりも長いものとなっている。
【００１８】
ところで、図７に示すことから理解されるように、実施形態のブラインド部２の上下端部には、前面から後面に向かって延びる延伸部２２が設けられている。この延伸部２２の左右方向の長さは、保護板９３の開口部９４の左右方向の幅と略同一の長さとなっており、延伸部２２を保護板９３の開口部９４に挿入することで、ブラインド部２の左右方向への移動を規制できるものとなっている。
【００１９】
ブラインド部２の上下方向の長さは、電気機器収納用箱９に収納された状態における電気機器の上下方向の長さに対応することが好ましい。例えば、電気機器と略同一の長さであってもよいし、電気機器の整数倍の長さ、もしくは電気機器の長さを整数で割った長さなどであってもよい。そうすることで、回路数を増加させる場合などブラインド部材１と電気機器を交換する場合であっても、保護板９３に半端な開口が生じることを抑制することができる。
【００２０】
実施形態の固定部５は、板材で設けられている。材料は特に限定しないが、金属材料とすることで、ブラインド部材１が保護板９３に固定されたときに、保護板９３の強度を向上させることができる。このため、保護板９３に開口部９４を設けることによって、保護板９３の強度が低下して、保護板９３にゆがみなどが生じるということを抑制することができる。
【００２１】
実施形態の固定部５には、ブラインド部２に設けられた長孔２１に挿通されたネジが取り付けられる複数のネジ穴５１が備えられている。なお、固定部５の左右方向の長さは、保護板９３の開口部９４の左右方向の幅よりも長く、ブラインド部２の左右方向の長さよりも短いことが好ましい。実施形態では、固定部５の長手方向の長さは、保護板９３の開口部９４の短手方向の長さよりも長く、ブラインド部２の長手方向の長さよりも短いものとなっている。固定部５の上下方向の長さは、実施形態では、ブラインド部２の延伸部２２間に位置させるために、延伸部２２間よりも短いものとしている。
【００２２】
ところで、実施形態の固定部５には、さらに、ネジ穴５１の間に左右方向に長い楕円形状の孔部５２が形成されている。一方、ブラインド部２の後面には、固定部５の孔部５２に挿通される凸部２３が設けられている。この固定部５の孔部５２に凸部２３を挿通することによって、ブラインド部２に対する固定部５の上下左右方向の移動を制限することができる。このように、固定部５の移動を一定の範囲内にすることができるため、ブラインド部２が、後面側に突出する凸部２３を備えた構成とし、固定部５に、凸部２３を挿入可能な孔部５２を備えた構成とすることが好ましい。
【００２３】
ところで、固定部５は、ネジによってブラインド部２と連結されているが、固定部５とネジが分離する場合も想定される。このため、ブラインド部２に、固定部５がブラインド部２の後面側に移動することを抑制する規制部２４と、固定が下方に移動することを抑制する下移動抑制部を備えた構成とすることが好ましい。このようにすれば、固定部５とネジが分離した場合であっても、固定部５が即座に落下することを抑制することができる。なお、実施形態においては、延伸部２２の互いに向き合う面に突起状の規制部２４が形成されている。また、下側に位置する延伸部２２や凸部２３が下移動抑制部として機能する。
【００２４】
図７、図８及び図９に示すことから理解されるように、実施形態においては、固定部５とネジが分離した場合であっても、固定部５の孔部５２へのブラインド部２の凸部２３の挿通によって、上下方向の移動が規制され、ブラインド部２の延伸部２２の規制部２４によって、前後方向の移動が規制される。一方、ブラインド部２に対する固定部５の左右方向の移動については、固定部５に設けられた孔部５２の左右方向の幅の範囲で移動可能となっている。このため、固定部５とネジが分離した場合であっても、固定部５が即座にブラインド部２から脱落することを回避できる。
【００２５】
ここで、保護板９３に対してブラインド部材１を取り付ける手順について説明する。まず、ブラインド部２と固定部５をネジで連結させる（ステップ１）。ブラインド部材１を保護板９３に取り付ける前に、ブラインド部２と固定部５の間隔を保護板９３の厚さよりも広くしておく（ステップ２）。その後、図１０及び図１１に示すことから理解されるように、ブラインド部２と固定部５の一方の端部に設けた隙間を用いて、ブラインド部材１を保護板９３に引っ掛ける（ステップ３）。
【００２６】
その後、図１２に示すことから理解されるように、ブラインド部２の延伸部２２の全体を保護板９３の開口部９４に嵌めこむ（ステップ４）。次に、図１２及び図１３に示すことから理解されるように、連結部８１であるネジを左右に移動し、ブラインド部２と固定部５の両方の端部の間に保護板９３が位置するようにする（ステップ５）。この後、ネジを締め付け、ブラインド部２と固定部５の間隔を狭くし、保護板９３の開口部９４にブラインド部材１を固定する（図１３及び図１４参照）。以上のステップにより、保護板９３を開けることなく保護板９３の前面側からブラインド部材１を固定することが可能となる。
【００２７】
なお、保護板９３の開口部９４からブラインド部材１を取り外す場合には、上記ステップとは逆の流れで実施すれば良い。
【００２８】
次に、上記した例とは別の実施例について説明する。図１５及び図１６に示した例では、ブラインド部２の後面中央に凸部３３を形成し、凸部３３が挿通する孔６２を固定部５に設けている。図１７から図１９に示すことから理解されるように、この凸部３３と孔６２は、ブラインド部２と固定部５で保護板９３を挟み込む際に、固定部５の位置をブラインド部２に対して、略一定に定めるように機能する。固定部５に設ける孔６２の形状は限定しないが、ブラインド部２の凸部３３が挿通された状態で固定部５の左右方向への移動を規制するものであればよい。
【００２９】
この例では、凸部３３の前後方向の長さは、ブラインド部２の後面から突出するネジの長さから固定部５の厚さを引いた長さよりも短いことが好ましい。凸部３３をこのような長さとすれば、固定部５の孔６２に凸部３３が挿通された状態とすることで、固定部５の左右方向への移動を規制することができる一方、ネジを緩め、固定部５の孔６２に凸部３３が挿通された状態を解除した状態とすることで、固定部５を左右方向に移動させることができる。なお、保護板９３に対するブラインド部材１の取り付けや取り外しの手順については、前出の例と同様にすれば良い。
【００３０】
また、更に別の例について説明する。図２０から図２２に示すことから理解されるように、この例では、ブラインド部２の延伸部２２の左右端部の一方の一部を更に伸ばした第二延伸部４２を設けている。この第二延伸部４２には、前面方向に突出する突出部４４が設けられている。また、固定部５には、第二延伸部４２が形成された方向と同一の方向の端部に、上下方向に延びる拡張部７３を設けている。第二延伸部４２に設けられた突出部４４は、固定部５の左方向への移動を規制するように拡張部７３に当接することができる。また、固定部５の拡張部７３が、第二延伸部４２の突出部７３を乗り越えさせることで、固定部５の左方向の移動規制が解除される。
【００３１】
この例でも、保護板９３に対するブラインド部材１の取り付けや取り外しの手順については、前出の例と同様にすれば良い。ところで、この例では、ステップ５によって、固定部５の拡張部７３が第二延伸部４２の突出部４４を乗り越えるように移動させて、ブラインド部２と固定部５の両方の端部の間に保護板９３が位置するようにするが、この状態を解除するためには、固定部５の拡張部７３が第二延伸部４２の突出部７３を乗り越える必要がある。このため、保護板９３の開口部９４に対してブラインド部材１を取り付けた後は、ブラインド部材１が脱落しにくい構造となっている。
【００３２】
以上、実施形態を例に挙げて本発明について説明してきたが、本発明は上記実施形態に限定されることはなく、各種の態様とすることが可能である。例えば、連結部８１をスライド移動可能とする長孔を固定部５に設けたり、ブラインド部２と固定部５を連結する連結部８１を左右方向に弾性変形する部材とすることで、固定部５をブラインド部２に対してスライド可能な構造とし、保護板９３の開口部９４に嵌め込んだ後、ネジで締め付けを行うことで固定することも可能である。
【符号の説明】
【００３３】
１  ブラインド部材
２  ブラインド部
５  固定部
２１  長孔
９３  保護板
９４  開口部
【図１】
2020198663.tif 000003
【図２】
2020198663.tif 000004
【図３】
2020198663.tif 000005
【図４】
2020198663.tif 000006
【図５】
2020198663.tif 000007
【図６】
2020198663.tif 000008
【図７】
2020198663.tif 000009
【図８】
2020198663.tif 000010
【図９】
2020198663.tif 000011
【図１０】
2020198663.tif 000012
【図１１】
2020198663.tif 000013
【図１２】
2020198663.tif 000014
【図１３】
2020198663.tif 000015
【図１４】
2020198663.tif 000016
【図１５】
2020198663.tif 000017
【図１６】
2020198663.tif 000018
【図１７】
2020198663.tif 000019
【図１８】
2020198663.tif 000020
【図１９】
2020198663.tif 000021
【図２０】
2020198663.tif 000022
【図２１】
2020198663.tif 000023
【図２２】
2020198663.tif 000024
【図２３】
2020198663.tif 000025
【図２４】
2020198663.tif 000026
【図２５】
2020198663.tif 000027
【図２６】
2020198663.tif 000028